(57)【特許請求の範囲】
【請求項１】
間隔を置いて配設された一対の支持側壁を有する固定枠体と、前記一対の支持側壁間に間隔を置いて旋回自在に装着された複数個のヒートパイプと、前記ヒートパイプの各々に取り付けられたブラインド羽根とを備え、
前記固定枠体は前記一対の支持側壁を接続するための底壁を有し、前記一対の支持側壁及び前記底壁を通して循環流路が設けられ、前記一対の支持側壁及び前記底壁の前記循環流路を通して熱媒体が循環され、
熱媒体からの熱は前記ヒートパイプの両端部から伝達され、前記ヒートパイプ及び前記ブラインド羽根から輻射されることを特徴とするブラインド型空気調和装置。
【請求項２】
間隔を置いて配設された一対の支持側壁を有する固定枠体と、前記一対の支持側壁間に間隔を置いて旋回自在に装着された複数個のヒートパイプと、前記ヒートパイプの各々に取り付けられたブラインド羽根とを備え、
前記固定枠体は前記一対の支持側壁を接続するための底壁を有し、前記底壁を接続することによって横方向に相互に連結可能であり、前記固定枠体の前記一対の支持側壁の一方及び前記底壁には循環流路が設けられ、前記固定枠体の前記一方の支持側壁及び前記底壁の前記循環流路を通して熱媒体が循環され、
前記固定枠体において前記一方の支持側壁を流れる熱媒体からの熱が前記ヒートパイプ及び前記ブラインド羽根に伝達されてこれらから輻射されることを特徴とするブラインド型空気調和装置。
【発明の詳細な説明】
【０００１】
【発明の属する技術分野】
本発明は、室内を冷房及び／又は暖房するためのブラインド型空気調和装置に関する。
【０００２】
【従来の技術】
従来、室内を冷暖房するのにパネルヒータ装置等が使用されている。このパネルヒータ装置は、室内の空気と熱交換するための輻射パネル本体を備え、この輻射パネル本体には流入側接続部及び流出側接続部が設けられている。温水の如き熱媒体は流入側接続部を通して流入し、流入した熱媒体は輻射パネル本体に形成された媒体流路を通して流れ、この媒体流路を通して流れる間に室内の空気との間で熱交換が行われ、その後流出側接続部を通して外部に流出される。
【０００３】
【発明が解決しようとする課題】
しかしながら、このようなパネルヒータ装置は設置するのに比較的大きな場所を必要とし、また家具等の配置によって設置が難しくなる場合がある。
【０００４】
本発明の目的は、比較的狭い設置スペースでもって設置することができるブラインド型空気調和装置を提供することである。
【０００５】
【課題を解決するための手段】
本発明は、間隔を置いて配設された一対の支持側壁を有する固定枠体と、前記一対の支持側壁間に間隔を置いて旋回自在に装着された複数個のヒートパイプと、前記ヒートパイプの各々に取り付けられたブラインド羽根とを備え、
前記固定枠体は前記一対の支持側壁を接続するための底壁を有し、前記一対の支持側壁及び前記底壁を通して循環流路が設けられ、前記一対の支持側壁及び前記底壁の前記循環流路を通して熱媒体が循環され、
熱媒体からの熱は前記ヒートパイプの両端部から伝達され、前記ヒートパイプ及び前記ブラインド羽根から輻射されることを特徴とするブラインド型空気調和装置である。
【０００６】
本発明に従えば、固定枠体の一対の支持側壁の間に複数個のヒートパイプが旋回自在に装着され、また一対の支持側壁及び底壁を通して循環流路が設けられ、この循環流路を通して熱媒体（温熱媒体及び／又は冷熱媒体）が循環される。それ故に、循環流路を流れる熱媒体からの熱はヒートパイプの両端部から伝達され、ヒートパイプ及びこれに装着されたブラインド羽根に伝達されてこれらから輻射され、固定枠体が設置される室内の空気の温度を調和することができる。即ち、熱媒体として温水の如き温熱媒体を用いた場合は室内を暖房することができ、また熱媒体として冷水の如き冷熱媒体を用いた場合は室内を冷房することができる。このような固定枠体を家屋等の窓に設置することによって、日光を遮るためのブラインドとして利用することができ、また室内の所定部位に設置することによって、室内のパーティション（仕切り）として利用することができる。また、循環流路を流れる熱媒体からの熱は、ヒートパイプの両端部から伝達されるので、ヒートパイプ及びブラインド羽根からの輻射効率を高めることができる。
【０００７】
また、本発明は、間隔を置いて配設された一対の支持側壁を有する固定枠体と、前記一対の支持側壁間に間隔を置いて旋回自在に装着された複数個のヒートパイプと、前記ヒートパイプの各々に取り付けられたブラインド羽根とを備え、
前記固定枠体は前記一対の支持側壁を接続するための底壁を有し、前記底壁を接続することによって横方向に相互に連結可能であり、前記固定枠体の前記一対の支持側壁の一方及び前記底壁には循環流路が設けられ、前記固定枠体の前記一方の支持側壁及び前記底壁の前記循環流路を通して熱媒体が循環され、
前記固定枠体において前記一方の支持側壁を流れる熱媒体からの熱が前記ヒートパイプ及び前記ブラインド羽根に伝達されてこれらから輻射されることを特徴とするブラインド型空気調和装置である。
【０００８】
本発明に従えば、固定枠体の一対の支持側壁の間に複数個のヒートパイプが旋回自在に装着され、また固定枠体の一対の支持側壁の一方及び底壁に循環流路が設けられ、この循環流路を通して熱媒体（温熱媒体及び／又は冷熱媒体）が循環される。それ故に、固定枠体において一方の支持側壁を流れる熱媒体からの熱は、ヒートパイプ及びこれに装着されたブラインド羽根に伝達されてこれらから輻射され、固定枠体が設置される室内の空気の温度を調和することができる。即ち、熱媒体として温水の如き温熱媒体を用いた場合は室内を暖房することができ、また熱媒体として冷水の如き冷熱媒体を用いた場合は室内を冷房することができる。このような固定枠体を家屋等の窓に設置することによって、日光を遮るためのブラインドとして利用することができ、また室内の所定部位に設置することによって、室内のパーティション（仕切り）として利用することができる。また、固定枠体は底壁が相互に連結可能であるので、底壁を接続することによって複数の固定枠体を相互に接続することができ、これによって装置の大きさを調整することができる。
【００１１】
【発明の実施の形態】
以下添付図面を参照して、本発明に従うブラインド型空気調和装置の実施形態について説明する。
第１の実施形態
まず、図１〜図５を参照して、本発明に従うブラインド型空気調和装置の第１の実施形態について説明する。図１は、第１の実施形態の空気調和装置の設置形態の一例を簡略的に示す断面図であり、図２は、図１の空気調和装置を簡略的に示す斜視図であり、図３は、図１の空気調和装置のヒートパイプの取付構造を示す部分断面図であり、図４は、図３におけるＩＶ−ＩＶ線による断面図であり、図５は、図３におけるＶ−Ｖ線による断面図である。
【００１２】
図１及び図２を参照して、図示のブラインド型空気調和装置は矩形状の固定枠体２を備え、この固定枠体２は、一対の支持側壁４，６と、この一対の支持側壁４，６の下端部を接続する底壁８と、これら支持側壁４，６の上端部を接続する上壁１０を有している。このような固定枠体２は家屋１２の窓１４に隣接して床面に設置される。このように設置した場合、後述する記載から理解されるとおり、外側からの日光を遮るブラインドとしても機能する。
【００１３】
この実施形態では、一方（図２において左側）の支持側壁４は中空に形成され、その内部に循環流路１６（図５参照）が設けられ、他方（図２において右側）の支持側壁６はプレート状部材から構成されている。図２とともに図３及び図５を参照して、支持側壁４は間隔を置いて配設された外側及び内側プレート１８，２０を有し、これら外側及び内側プレート１８，２０の外周部が４つの接続プレート２２，２４，２６，２８によって密封されている。また、外側及び内側プレート１８，２０の間には、接続プレート２２，２４に実質上平行に仕切りプレート３０が配設され、この仕切りプレート３０の下端部が接続プレート２６に固定され、その上端部は上方に接続プレート２８の内側近傍まで延びている。かく構成されているので、接続プレート２２と仕切りプレート３０との間に第１流路３６が規定され、仕切りプレート３０と接続プレート２４との間に第２流路３８が規定され、これら両流路３６，３８が上端部にて連通され、第１及び第２流路３６，３８が循環流路１６を構成している。
【００１４】
支持側壁４の下端部には流入側接続部３２及び流出側接続部３４が取り付けられている。流入側接続部３２は第１流路３６に連通し、流出側接続部３４は第２流路３８に連通している。流入側接続部３２は、供給配管（図示せず）を介して給湯器の如き熱源機（図示せず）に接続され、流出側接続部３４は戻り配管（図示せず）を介して上記熱源機に接続されている。従って、熱源機からの温水の如き温熱媒体は、供給配管を通して流入側接続部３２から第１流路３６に流入し、かく流入した温熱媒体は第１流路３６及び第２流路３８を通って流出側接続部３４から流出し、その後戻り配管を通して熱源機に戻り、このようにして熱源機からの熱媒体が固定枠体２の循環流路１６を通して循環される。
【００１５】
一対の支持側壁４，６の間には、上下方向に間隔を置いて複数個のヒートパイプ４０が旋回自在に装着されている。図４をも参照して、この形態では、支持側壁４の仕切りプレート３０には上下方向に間隔を置いて支持スリーブ４２が固定され、かかる支持スリーブ４２に、対応するヒートパイプ４０の一端部が旋回自在に挿入される。ヒートパイプ４０と支持スリーブ４２との間には、熱伝導性のよいグリスが充填され、このようなグリスを充填することによって、ヒートパイプ４０の旋回がスムースになるとともに、温熱媒体からヒートパイプ４０への熱の伝達も良好になる。ヒートパイプ４０の一端部は支持スリーブ４２を貫通して外側に突出し、ヒートパイプ４０の、支持スリーブ４２に支持された両側部位に、円板状の固定シール部材４４，４６が装着されている。固定シール部材４４，４６はヒートパイプ４０の支持側壁４からの離脱を防止するとともに、充填したグリスの漏れを防止する。この形態では、更に、外側プレート１８の外側に外側カバー４１が設けられ、外側カバー４１はヒートパイプ４０の一端部、固定シール部材４４等を覆っている。また、内側プレート２０の内側には内側カバー４３が設けられ、この内側カバー４３にはヒートパイプ４０が通る細長いスリット４５（図４）が形成されており、この内側プレート４３は固定シール部材４６等を覆っている。尚、支持スリーブ４２は仕切りプレート３０に一体的に設けるようにしてもよい。また、他方の支持側壁６には上下方向に間隔を置いて支持凹部（図示せず）が設けられ、ヒートパイプ４０の他端部は、対応する支持凹部に旋回自在に挿入され、支持凹部にはヒートパイプ４０の旋回動がスムースとなるようにグリスが充填される。
【００１６】
ヒートパイプ４０は、例えばステンレス鋼等から形成されるパイプ本体を備え、パイプ本体内に水を充填し、パイプ本体内の真空度を高めたそれ自体公知のものから構成される。このようなヒートパイプ４０は、外径が例えば３〜１０ｍｍ程度のものを用いることができる。
【００１７】
各ヒートパイプ４０にはブラインド羽根４８が取り付けられる。ブラインド羽根４８は、軽量で且つ熱伝導性の良好な材料、例えばアルミニウムから形成され、例えばスポット溶接の如き手段によってヒートパイプ４０に固定される。ブラインド羽根４８は幅方向に弧状に湾曲しており、その凹部側の幅方向略中央部がヒートパイプ４０に固定され、ヒートパイプ４０のほぼ全長に渡って伸びている。
【００１８】
固定枠体２に装着された複数個のブラインド羽根４８の長手方向一端部は、例えばワイヤ５０（又はチェーン等）によって相互に連結され、それらの長手方向他端部は、例えばワイヤ５２（又はチェーン等）によって相互に連結されている。従って、一方のワイヤ５０を矢印５３で示す下方に引っ張ることによって、ヒートパイプ４０を中心としてブラインド羽根４８を矢印５４で示す方向（図４において反時計方向）に旋回させ、これによって隣接するブランド羽根４８の間を開放することができる。一方、他方のワイヤ５２を矢印５５で示す下方に引っ張ることによって、ヒートパイプ４０を中心としてブラインド羽根４８を矢印５６で示す方向（図４において時計方向）に旋回させ、これによって隣接するブランド羽根４８の間を遮蔽することができる。
【００１９】
この空気調和装置では、熱源機（図示せず）からの温熱媒体が流入側接続部３２に供給され、かく供給された温熱媒体は、支持側壁４の循環流路１６（第１及び第２流路３６，３８）を通して流れる。このように温熱媒体が流れると、温熱媒体からの熱が支持スリーブ４２を介してヒートパイプ４０の一端部に伝達され、このヒートパイプ４０を介して更にブラインド羽根４８に伝達される。従って、ヒートパイプ４０及びブラインド羽根４８に伝達された熱がこれらから室内に輻射され、室内の空気を暖房することができる。
第２の実施形態
次に、図６を参照して、本発明に従うブラインド型空気調和装置の第２の実施形態について説明する。この第２の実施形態では、固定枠体の一対の支持側壁に温熱媒体が送給される。図６は、本発明に従うブラインド型空気調和装置の第２の実施形態の要部を分解して示す部分分解斜視図である。
【００２０】
図６を参照して、第２の実施形態における固定枠体１０２は、間隔を置いて配設された一対の支持側壁１０４，１０６を備え、これら支持側壁１０４，１０６の下端部が底壁１０８によって接続され、それらの上端部が上壁１１０によって接続されている。この第２の形態では、一対の支持側壁１０４，１０６及び底壁１０８が、第１の実施形態における支持側壁４と同様に中空に形成され、これら支持側壁１０４，１０６及び底壁１０８を通して循環経路が設けられている。
【００２１】
一方の支持側壁１０４内には仕切りプレート１１２が設けられ、この仕切りプレート１１２の一端部（下端部）は支持側壁１０４の下内面に固定され、その他端部（上端部）は支持側壁１０４の上内面近傍まで延び、この仕切りプレート１１２の片側に第１流路１１４が規定され、その他側に第２流路１１６が規定され、第１及び第２流路１１４，１１６の上端部が連通され、第１及び第２流路１１４，１１６が支持側壁１０４における循環流路を構成している。
【００２２】
また、他方の支持側壁１０６内には仕切りプレート１２０が設けられ、この仕切りプレート１２０の一端部（下端部）は支持側壁１０６の下内面に固定され、その他端部（上端部）は支持側壁１０６の上内面近傍まで延び、この仕切りプレート１２０の片側に第３流路１２２が規定され、その他側に第４流路１２４が規定され、第３及び第４流路１２２，１２４の上端部が連通され、第３及び第４流路１２２，１２４が支持側壁１０６における循環流路を構成している。
【００２３】
更に、底壁１０８の一端部（図６において左端部）内には、幅方向略中央部に略コ字状の補助仕切りプレート１２６が設けられ、底壁１０８の一端内面と補助仕切りプレート１２６によって第５流路１２８が規定されている。また、底壁１０８内には仕切りプレート１３０が設けられ、この仕切りプレート１３０の一端部（図６において左端部）が補助仕切りプレート１２６に固定され、その他端部（図６において右端部）が底壁１０８の他端内面に固定され、仕切りプレート１３０の片側に第６流路１３２が規定され、その他側に第７流路１３４が規定され、第５〜第７流路１２８，１３２，１３４が底壁１０８における循環流路を構成している。
【００２４】
底壁１０８の一側面の幅方向中央部には流入側接続部１３６が設けられ、この流入側接続部１３６が第５流路１２８に連通している。この底壁１０８の上記一側面の端部には流出側接続部１３８が設けられ、この流出側接続部１３８が第７流路１３４に連通している。また、一方の支持側壁１０４の下端面の幅方向中央部には、底壁１０８の第５流路１２８に対応して接続部１４０が設けられ、この接続部１４０は支持側壁１０４の第１流路１１４に連通している。この接続部１４０は底壁１０８の開口１４２を通して第５流路１２８に接続される。支持側壁１０４の上記下端面の端部には、底壁１０８の第６流路１３２に対応して接続部１４４が設けられ、この接続部１４４は支持側壁１０４の第２流路１１６に連通している。この接続部１４４は底壁１０８の開口１４６を通して第６流路１３２に接続される。更に、他方の支持側壁１０６の下端面の一端部には、底壁１０８の第６流路１３２に対応して接続部１４８が設けられ、この接続部１４８は支持側壁１０６の第３流路１２２に連通している。この接続部１４８は底壁１０８の開口１５０を通して第６流路１３２に接続される。支持側壁１０６の上記下端面の他端部には、底壁１０８の第７流路１３４に対応して接続部１５２が設けられ、この接続部１５２は支持側壁１０６の第４流路１２４に連通している。この接続部１５２は底壁１０８の開口１５４を通して第７流路１３４に接続される。この実施形態では、支持側壁１０４，１０６側に接続部１４０，１４４，１４８，１５２を設けているが、これとは反対に、底壁１０８側にこれら接続部を設けるようにしてもよい。
【００２５】
この固定枠体１０２においては、上記第１の実施形態と同様に、流入側接続部１３６が熱源機（図示せず）からの供給配管に接続され、また流出側接続部１３８が熱源機への戻り配管に接続される。従って、熱源機からの温熱媒体が供給配管を通して供給されると、この温熱媒体は流入側接続部１３６から底壁１０８の第５流路１２８に流入する。この流入した温熱媒体は、接続部１４０を通して支持側壁１０４に流れ、その第１及び第２流路１１４，１１６を流れ、次いで接続部１４４を通して底壁１０８に流れ、その第６流路１３２を通り接続部１４８から他方の支持側壁１０６に流れる。かく流れた温熱媒体は、更に支持側壁１０６の第３及び第４流路１２２，１２４を流れ、接続部１５２を通して再び底壁１０８に流れ、その第７流路１３４を通して流出側接続部１３８から戻り配管に流出される。このように、熱源機からの温熱媒体は、固定枠体１０２の支持側壁１０４，１０６及び底壁１０８の循環流路を通して循環される。
【００２６】
この固定枠体１０２には、図示していないが、上記第１の実施形態と略同様に、一対の支持側壁１０４，１０６間にヒートパイプが旋回自在に装着され、各ヒートパイプにはブラインド羽根が取り付けられる。従って、一方の支持側壁１０４を流れる温熱媒体からの熱は各ヒートパイプの一端部から、また他方の支持側壁１０６を流れる温熱媒体からの熱は各ヒートパイプの他端部から伝達されるので、温熱媒体からの熱の伝達効率を高めることができる。尚、ヒートパイプに伝達された熱は更にブラインド羽根に伝達され、ヒートパイプ及びブラインド羽根から室内に輻射され、室内を所要の通りに暖房することができる。
第３の実施形態
次に、図７〜図１１を参照して、本発明に従うブラインド型空気調和装置の第３の実施形態について説明する。この第３の実施形態では、温熱媒体が流れるユニットを５種類のユニット（４種類の底壁ユニットと１種類の支持側壁ユニット）とすることによって、複数の固定枠体を任意の個数連結することができる。図７は、空気調和装置の第３の実施形態における４種類の底壁ユニットを簡略的に示す斜視図であり、図８は、支持側壁ユニットを簡略的に示す断面図であり、図９は、固定枠体を２個連結した状態を簡略的に示す斜視図であり、図１０は、図９の状態における底壁ユニットの連結状態を簡略的に示す断面図であり、図１１は、固定枠体を４個連結した状態における底壁ユニットの連結状態を簡略的に示す断面図である。
【００２７】
図７を参照して４種類の底壁ユニットについて説明すると、第１の底壁ユニット２０２は内部が中空になっているユニット本体２０４を備え、このユニット本体２０４には、幅方向に間隔をおいて２つの仕切りプレート２０６，２０８が設けられ、仕切りプレート２０６，２０８はユニット本体２０４の一端から他端まで長手方向に延び、ユニット本体２０４内を３つに仕切っている。また、ユニット本体２０４の一端部近傍には、一方の側壁と仕切りプレート２０６との間に補助仕切りプレート２１０が設けられている。かく構成されているので、上記一方の側壁、補助仕切りプレート２１０及び仕切りプレート２０６によって第１流路２１２が規定され、仕切りプレート２０６，２０８の間に第２流路２１４が規定され、仕切りプレート２０８と他方の側壁２１８との間に第３流路２１６が規定されている。
【００２８】
このユニット本体２０４の一方の端壁には、流入側接続部２２０及び流出側接続部２２２が設けられ、流入側接続部２２０は第１流路２１２に連通し、流出側接続部２２２は第２流路２１４に連通している。ユニット本体２０４の他方の端壁には一対の連通口２２４，２２６が形成され、連通口２２４は第２流路２１４に開口し、他方の連通口２２６は第３流路２１６に開口している。また、ユニット本体２０４の上壁の一端部には一対の連通口２２８，２３０が設けられている。連通口２２８は第１流路２１２に開口し、連通口２３０は第３流路２１６に開口している。
【００２９】
第２の底壁ユニット２０２Ａの構成は、その第１〜第３流路２１２Ａ，２１４Ａ，２１６Ａの配置が第１の底壁ユニット２０２の第１〜第３流路２１２，２１４，２１６の配置と幅方向に反対になっている点を除けば、上述した第１の底壁ユニット２０２と実質上同一であり、従って、第２の底壁ユニット２０２Ａの対応する各構成要素には、第１の底壁ユニット２０２の各構成要素の参照番号に「Ａ」を付し、その説明を省略する。
【００３０】
また、第３の底壁ユニット２５２は内部が中空になっているユニット本体２５４を備え、このユニット本体２５４の一端部近傍に仕切りプレート２５６が配設され、この仕切りプレート２５６はユニット本体２５４の一側端から他側端まで延びている。また、ユニット本体２５４の一端部には、一方の端壁と仕切りプレート２５６との間に補助仕切りプレート２５８が設けられている。かく構成されているので、上記一方の端壁、仕切りプレート２５６及び補助仕切りプレート２５８によって第１流路２６０が規定され、他方の側壁２６４、仕切りプレート２５６及び補助仕切りプレート２５８によって第２流路２６２が規定されている。
【００３１】
このユニット本体２５４の一方の端壁には、流入側接続部２６６及び流出側接続部２６８が設けられ、流入側接続部２６６は第２流路２６２に連通し、流出側接続部２６８は第１流路２６０に連通している。また、ユニット本体２５４の上壁の一端部には一対の連通口２７０，２７２が設けられている。連通口２７０は第１流路２６０に開口し、他方連通口２７２は第２流路２６２に開口している。
【００３２】
第４の底壁ユニット２５２Ａの構成は、その第１及び第２流路２６０Ａ，２６２Ａの配置が第３の底壁ユニット２５２の第１及び第２流路２６０，２６２の配置と幅方向に反対になっている点を除けば、上述した第３の底壁ユニット２５２と実質上同一であり、従って、第４の底壁ユニット２５２Ａの対応する各構成要素には、第３の底壁ユニット２５２の各構成要素の参照番号に「Ａ」を付し、その説明を省略する。
【００３３】
次に、図８を参照して支持側壁ユニット３０２について説明すると、この支持側壁ユニット３０２は第１の実施形態における支持側壁４と略同一の構成であり、内部が中空であるユニット本体３０４を備え、このユニット本体３０４内に仕切りプレート３０６が配設され、仕切りプレート３０６の下端部がユニット本体３０４の下端に固定され、その上端部は上方にユニット本体３０４の上面近傍まで延びている。従って、ユニット本体３０４の外側プレート３０８と仕切りプレート３０６との間に第１流路３１０が規定され、その内側プレート３１２と仕切りプレート３０６との間に第２流路３１４が規定され、これら両流路３１０，３１４が上端部にて連通している。尚、仕切りプレート３０６には、ヒートパイプ（図示せず）を回転自在に支持する支持スリーブ３０７が設けられている。
【００３４】
ユニット本体３０４の下端面には一対の接続部３１６，３１８が設けられている。一方の接続部３１６は第１流路３１０に連通し、他方の接続部３１８は第２流路３１４に連通している。
【００３５】
２個の固定枠体を連結して空気調和装置を構成する場合、図９及び図１０に示す通りに構成される。この場合、第１及び第３の底壁ユニット２０２，２５２が用いられ、第３の底壁ユニット２５２の流入側接続部２６６が第１の底壁ユニット２０２の連通口２２６を通してその第３流路２１６に接続され、第３の底壁ユニット２５２の流出側接続部２６８が第１の底壁ユニット２０２の開口２２４を通してその第２流路２１４に接続される。また、支持側壁ユニット３０２の接続部３１６が連通口２２８を通して第１の底壁ユニット２０２の第１流路２１２に接続され、その他方の接続部３１８が連通口２３０を通して第１の底壁ユニット２０２の第３流路２１６に連通される。更に、もう一つの支持側壁ユニット３０２の接続部３１６が連通口２７０を通して第３の底壁ユニット２５２の第１流路２６０に接続され、その他方の接続部３１８が連通口２７２を通して第３の底壁ユニット２５２の第２流路２６２に連通される。
【００３６】
更に、第１の底壁ユニット２０２に、支持側壁ユニット３０２に対向する他方の支持側壁３５２が装着され、この支持側壁３５２及び支持側壁ユニット３０２の上端部に上壁３５４が取り付けられ、第１の底壁ユニット２０２、支持側壁ユニット３０２、支持側壁３５２及び上壁３５４が一方の固定枠体３５６を構成する。また、第３の底壁ユニット２５２に、支持側壁ユニット３０２に対向する他方の支持側壁３６２が装着され、この支持側壁３６２及び支持側壁ユニット３０２の上端部に上壁３６４が取り付けられ、第３の底壁ユニット２５２、支持側壁ユニット３０２、支持側壁３６２及び上壁３６４が他方の固定枠体３６６を構成する。そして、固定枠体３５６，３６６の支持側壁ユニット３０２と支持側壁３５２，３６２との間に、第１の実施形態と同様に、ブラインド羽根が取り付けられたヒートパイプが旋回自在に装着される。
【００３７】
このように構成した空気調和装置では、第１の底壁ユニット２０２の流入側接続部２２０から温熱媒体が流入し、かく流入した温熱媒体は、第１の底壁ユニット２０２の第１流路２１２から支持側壁ユニット３０２の第１及び第２流路３１０，３１４を流れ、その後第１の底壁ユニット２０２の第３流路２１６を通して第３の底壁ユニット２５２の第２流路２６２に流入し、更に、この第２流路２６２から支持側壁ユニット３０２の第２流路３１４及び第１流路３１０を通り、その後第１の底壁ユニット２０２の第２流路２１４を通して流出側接続部２２２から外部に排出される。従って、２つの固定枠体３５６，３６６を相互に連結した場合においても温熱媒体を所要の通りに循環することができる。
【００３８】
尚、図９及び図１０の形態では、第１及び第３の底壁ユニット２０２，２５２を用いて連結しているが、これに代えて、第２及び第４の側壁ユニット２０２Ａ，２５２Ａを用いても同様に２個連結することができる。
【００３９】
また、４個の固定枠体を連結して空気調和装置を構成する場合、図１１に示す通りに構成される。この場合、例えば、２個の第１の底壁ユニット２０２、１個の第２の底壁ユニット２０２Ａ及び１個の第３の底壁ユニット２５２が用いられる。そして、第２の底壁ユニット２０２Ａの流入側接続部２２０Ａが第１の底壁ユニット２０２の第３流路２１６に接続され、第２の底壁ユニット２０２Ａの流出側接続部２２２Ａが第１の底壁ユニット２０２の第２流路２１４に接続される。また、第１の底壁ユニット２０２の流入側接続部２２０が第２の底壁ユニット２０２Ａの第３流路２１６Ａに接続され、第１の底壁ユニット２０２の流出側接続部２２２が第２の底壁ユニット２０２Ａの第２流路２１４Ａに接続される。更に、第３の底壁ユニット２５２の流入側接続部２６６が第１の底壁ユニット２０２の第３流路２１６に接続され、第３の底壁ユニット２５２の流出側接続部２６８が第１の底壁ユニット２０２の第２流路２１４に接続される。更にまた、第１〜第３の底壁ユニット２０２，２０２Ａ，２５２の各々には、図示していないが、支持側壁ユニット３０２が上述したように装着され、このようにして温熱媒体の循環流路が形成される。
【００４０】
このように連結した空気調和装置においては、第１の底壁ユニット２０２の流入側接続部２２０から温熱媒体が流入し、かく流入した温熱媒体は、第１の底壁ユニット２０２の第１流路２１２から支持側壁ユニット３０２の第１及び第２流路３１０，３１４を流れ、その後第１の底壁ユニット２０２の第３流路２１６を通して第２の底壁ユニット２０２Ａの第１流路２１２Ａに流入し、この第１流路２１２Ａから支持側壁ユニット３０２の第２流路３１４及び第１流路３１０を通った後第２の底壁ユニット２０２Ａの第３流路２１６Ａを通してこれに続く第１の底壁ユニット２０２の第１流路２１２に流入し、その後この第１の底壁ユニット２０２の第１流路２１２から支持側壁ユニット３０２の第１及び第２流路３１０，３１４を流れ、その後第１の底壁ユニット２０２の第３流路２１６を通して第３の底壁ユニット２５２の第２流路２６２に流入し、この第２流路２６２から支持側壁ユニット３０２の第２流路３１４及び第１流路３１０を通り、その後第１の底壁ユニット２０２の第２流路２１４、第２の底壁ユニット２０２Ａの第２流路２１４Ａ及び第１底壁ユニット２０２の第２流路２１４を通ってその流出側接続部２２２から排出され、従って、熱源機からの温熱媒体は４つの固定枠体の循環流路を通して所要の通りに循環される。
【００４１】
尚、図１１に示すように連結することに代えて、例えば、１個の第１の底壁ユニット２０２、２個の第２の底壁ユニット２０２Ａ及び１個の第４の底壁ユニット２５２Ａを用いて上述したと略同様に連結することによって、４個連結することができる。
【００４２】
上述した形態では、２個又は４個連結した例について説明したが、３個又は５個以上連結することができる。例えば、３個連結する場合、図１１から理解される通り、第１（又は第２）の底壁ユニット２０２（又は２０２Ａ）に第２（又は第１）の底壁ユニット２０２Ａ（又は２０２）を連結し、この第２（又は第１）の底壁ユニット２０２（又は２０２Ａ）に第４（又は第３）の底壁ユニット２５２Ａ（又は２５２）を連結すればよい。
【００４３】
以上、本発明に従うブラインド型空気調和装置の各種実施形態について説明したが、本発明はこれら実施形態に限定されるものではなく、本発明の範囲を逸脱することなく種々の変形乃至修正が可能である。
【００４４】
例えば、図示の実施形態では、一対の支持側壁４，６、底壁８及び上壁１０から固定枠体２を構成しているが、上壁１０を省略して、一対の支持側壁４，６及び底壁８から固定枠体を構成するようにしてもよい。
【００４５】
また、例えば、図示の実施形態では、空気調和装置に熱媒体として温水の如き温熱媒体を供給して空気を暖房しているが、熱媒体として冷水の如き冷熱媒体を供給して空気を冷房するようにすることもできる。
【００４６】
更に、図示の実施形態では、固定枠体２を窓に近接して設置してブラインドとして用いているが、例えば室内の所定部位に設置してパーティションとして用いることもできる。
【００４７】
【発明の効果】
本発明の請求項１の空気調和装置によれば、固定枠体の一対の支持側壁及び底壁の循環流路を流れる熱媒体からの熱は、ヒートパイプの両端部から伝達され、ヒートパイプ及びこれに装着されたブラインド羽根に伝達されてこれらから輻射されるので、室内の空気の温度を調和（暖房及び／又は冷房）することができる。また、ブラインド羽根を開閉することによって、ブラインド、パーティション等として利用することができる。また、固定枠体の循環流路を流れる熱媒体からの熱はヒートパイプの両端部から伝達されるので、ヒートパイプ及びブラインド羽根からの輻射効率を高めることができる。
【００４８】
また、本発明の請求項２の空気調和装置によれば、固定枠体において一方の支持側壁の循環流路を流れる熱媒体からの熱は、ヒートパイプ及びこれに装着されたブラインド羽根に伝達されてこれらから輻射されるので、室内の空気の温度を調和（暖房及び／又は冷房）することができる。また、ブラインド羽根を開閉することによって、ブラインド、パーティション等として利用することができる。また、底壁を接続することによって複数の固定枠体を相互に接続することができ、これによって装置の大きさを調整することができる。
【図面の簡単な説明】
【図１】本発明に従う空気調和装置の第１の実施形態を窓に近接して設置した状態を簡略的に示す断面図である。
【図２】図１の空気調和装置を簡略的に示す斜視図である。
【図３】図１の空気調和装置のヒートパイプの取付構造を示す部分断面図である。
【図４】図３におけるＩＶ−ＩＶ線による断面図である。
【図５】図３におけるＶ−Ｖ線による断面図である。
【図６】本発明に従う空気調和装置の第２の実施形態の要部を分解して示す部分分解斜視図である。
【図７】本発明に従う空気調和装置の第３の実施形態における４種類の底壁ユニットを簡略的に示す斜視図である。
【図８】支持側壁ユニットを簡略的に示す断面図である。
【図９】固定枠体を２個連結した状態を簡略的に示す斜視図である。
【図１０】図９の状態における底壁ユニットの連結状態を簡略的に示す断面図である。
【図１１】固定枠体を４個連結した状態における底壁ユニットの連結状態を簡略的に示す断面図である。
【符号の説明】
２，１０２  固定枠体
４，６，１０４，１０６  支持側壁
８，１０８  底壁
１０，１１０  上壁
１６  循環流路
３０，１１２，１２０，１３０  仕切りプレート
４０  ヒートパイプ
４８  ブラインド羽根
２０２，２０２Ａ，２５２，２５２Ａ  底壁ユニット
２０６，２０６Ａ，２０８，２０８Ａ，２５６，２５６Ａ  仕切りプレート
３０２  支持側壁ユニット
３０６  仕切りプレート
３５６，３６６  固定枠体
【図１】
0003877111.tif 000002
【図２】
0003877111.tif 000003
【図３】
0003877111.tif 000004
【図４】
0003877111.tif 000005
【図５】
0003877111.tif 000006
【図６】
0003877111.tif 000007
【図７】
0003877111.tif 000008
【図８】
0003877111.tif 000009
【図９】
0003877111.tif 000010
【図１０】
0003877111.tif 000011
【図１１】
0003877111.tif 000012